(57)【要約】【課題】  作業者の腕等が当たっても跳ね水阻止具の弾性板が腕等になじんで作業に支障を来たす事がなく、又、跳ね水阻止効果を損ねる事もなく、作業の効率性に富んだ流し台跳ね水阻止具を提供する。【解決手段】  複数の円筒状気嚢４を外皮膜３ａで被覆して弾性板３を構成し、弾性板３の下端部に断面逆Ｕ字状の設置具２を固着してシンク５の縁部へ脱着自在に取り付ける。従って、流し台での作業中や作業の前後の手や品物の移動でも、物が接触すれば自然に凹んで通過の障害とはならず、その為、頻繁に取り付け取り外しの必要がなく、腕や物体が乗った部分が凹んだ状態でも他の部分は跳ね水阻止効果を損なわず、凹んだ部分も接触した物が除去されれば直ちに自然に復元する。【選択図】図１ 
2004216133.tif 000002
【特許請求の範囲】
【請求項１】
流し台のシンクの縁部に所定面積を有する弾性板を脱着自在又は横方向へ移行自在に取り付け、使用者への跳ね水を前記弾性板で阻止できるようにした流し台跳ね水阻止具。
【請求項２】
弾性板が、横方向の円筒状の気嚢を面が形成されるように複数列設した構造である請求項１記載の流し台跳ね水阻止具。
【請求項３】
弾性板が、長方形の気嚢の前後壁同士を複数の点状又は線状に内側で接着し、同接着部分の膨張を規制して全体を板状に形成したものである請求項１記載の流し台跳ね水阻止具。
【請求項４】
弾性板の気嚢が膨縮可能に構成されたもので、同気嚢を膨縮させる加減圧手段を設けた請求項１〜３いずれか記載の流し台跳ね水阻止具。
【請求項５】
弾性板が、発泡体で構成されたものである請求項１記載の流し台跳ね水阻止具。
【請求項６】
弾性板の下端部に断面逆Ｕ字型の挟持部材を設け、同挟持部材をシンクの縁部に挟持して弾性板を脱着又は横方向へ移行できるようにした請求項１〜５いずれか記載の流し台跳ね水阻止具。
【請求項７】
弾性板の下端部とシンクの縁部との間にスライドレールを介装し、同スライドレールで弾性板を横方向へ移行できるようにした請求項１〜５いずれか記載の流し台跳ね水阻止具。
【請求項８】
弾性板の下端部とシンクの縁部とを枢支し、未使用時に弾性板をシンクの手前下方へ傾倒できるようにした請求項１〜５いずれか記載の流し台跳ね水阻止具。
【発明の詳細な説明】
【技術分野】
【０００１】
本発明は、流し台を利用する使用者や床等への跳ね水を阻止する流し台跳ね水阻止具に関するものである。
【背景技術】
【０００２】
家庭用流し台の跳ね水阻止具としては、水しぶきが流し台を使用して洗浄作業にあたる人の服を濡らしたり、床まで飛び散り床を濡らしたりする事を防止する手段として、跳ね水防止布を流し台の上方から当該シンクの内壁に向けて垂下する方法や、跳ね水防止板を流し台外縁に取り付ける方法等が用いられていた。
【０００３】
上述した従来の跳ね水防止具には、以下に述べる様な欠点があった。即ち、流し台を使用する際、作業者の腕や作業用器具等が取り付けられた固い跳ね水阻止具の枠等に当たり、それが邪魔で作業に支障を来たし、流し台利用作業の利便性を損なう事があった。
【特許文献１】特開平９−２３４１２７号公報
【発明の開示】
【発明が解決しようとする課題】
【０００４】
本発明が解決しようとする課題は、従来のこれらの問題点を解消し、作業者の腕等が当たっても、跳ね水阻止具の弾性板が腕等になじんで凹み、作業に支障を来たす事はなく、又、跳ね水阻止効果を損ねる事もなく、作業の効率性に富んだ流し台跳ね水阻止具を提供することにある。
【課題を解決するための手段】
【０００５】
かかる課題を解決した本発明の構成は、
１）  流し台のシンクの縁部に所定面積を有する弾性板を脱着自在又は横方向へ移行自在に取り付け、使用者への跳ね水を前記弾性板で阻止できるようにした流し台跳ね水阻止具
２）  弾性板が、横方向の円筒状の気嚢を面が形成されるように複数列設した構造である前記１）記載の流し台跳ね水阻止具
３）  弾性板が、長方形の気嚢の前後壁同士を複数の点状又は線状に内側で接着し、同接着部分の膨張を規制して全体を板状に形成したものである前記１）記載の流し台跳ね水阻止具
４）  弾性板の気嚢が膨縮可能に構成されたもので、同気嚢を膨縮させる加減圧手段を設けた前記１）〜３）いずれか記載の流し台跳ね水阻止具
５）  弾性板が、発泡体で構成されたものである前記１）記載の流し台跳ね水阻止具
６）  弾性板の下端部に断面逆Ｕ字型の挟持部材を設け、同挟持部材をシンクの縁部に挟持して弾性板を脱着又は横方向へ移行できるようにした前記１）〜５）いずれか記載の流し台跳ね水阻止具
７）  弾性板の下端部とシンクの縁部との間にスライドレールを介装し、同スライドレールで弾性板を横方向へ移行できるようにした前記１）〜５）いずれか記載の流し台跳ね水阻止具
８）  弾性板の下端部とシンクの縁部とを枢支し、未使用時に弾性板をシンクの手前下方へ傾倒できるようにした前記１）〜５）いずれか記載の流し台跳ね水阻止具
にある。
【発明の効果】
【０００６】
本発明は、以上説明したように構成されているので、以下に記載するような効果を奏する。
【０００７】
弾性板を極めて柔軟な気嚢や発泡体で構成したので、流し台での作業中や作業の前後の手や品物の移動でも、物が接触すれば自然に凹んで通過の障害とはならず、その為、頻繁に取り付け取り外しの必要がなく、腕や物体が乗った部分が凹んだ状態でも他の部分は跳ね水阻止効果を損なわず、凹んだ部分も接触した物が除去されれば直ちに自然に復元するものである。
【０００８】
また、気体封じ込め型の気嚢や発泡体は極めて簡易な構造であるから、低コストにて実施が可能である。特に、給気、排気機構付きの気嚢を用いた弾性板は、スイッチ操作だけで弾性板の膨張や縮小（収納）、更には気嚢内の気体圧力を調整して、腕を跳ね水阻止具に乗せた時の使用感等の調整が極めて容易にできる多機能化が可能である。
【発明を実施するための最良の形態】
【０００９】
本発明の流し台跳ね水阻止具は、流し台の前面にゴムや合成樹脂等、柔軟で伸縮性を有する材料で構成する気嚢（気体嚢）や発泡合成樹脂により跳ね水を阻止するもので、柔軟構造であるために、使用者の腕や作業用物体が当たっても凹んでそれらになじむことで障害物とならず、跳ね水阻止機能を損なう事もない合理的な跳ね水阻止具である。
【００１０】
弾性板の構造としては、板状の形状に膨張させるために、長方形の気嚢の前後の壁を必要に応じて多数の点状或いは線状に直接又は中間体を介して接着し、それらの部分の膨張を規制する事で全体が安定した立体形状に形成する。弾性板は手前側に１０〜３０度程度外側に傾斜させる方が使いやすく効果的である。
【００１１】
又、他の気嚢形成手段としては、円筒状の気嚢の長手外面同士を連結し、それらの外側を伸縮性に富むゴムやプラスチック等の外皮膜で被覆して立体構造の平板状の弾性板を構成する方法もある。なお、円筒状の気嚢の連結で構成した跳ね水阻止具は、気嚢の長手方向を水平方向として使用すれば、気嚢が上下方向に重なって連なるため、気嚢に気体を注入する通気道にバルブを設けて給排気を行って調整し、弾性板の上下方向、即ち高さの調整機能を付与する事も出来る。
【００１２】
更に、弾性板を構成する円筒状の気嚢に直径の異なる気嚢を用いたり、気嚢の連結方法を部分的又は連続的に横へ二重三重に重ねて連結にする事により、跳ね水阻止具の取り付け後の安定性を確保したり、跳ね水阻止具の使い易さを考慮して使用者に応じたより望ましい立体形状に加工する事が可能となる。
【００１３】
他の弾性板としては、円柱状の細長の発泡体を面となるように複数列設した構造のものも採用できる。発泡体としてはポリエチレンやポリスチロール、ウレタン等の常用の発泡合成樹脂が用いられ、各発泡体を多数の点状又は線状に直接又は中間体を介して接着したり、外皮膜で被覆して板状に形成される。発泡体を用いたものは、調理で用いられる包丁や焼き串等の刃物が誤って触れても、破裂して縮少することなく跳ね水阻止効果を維持できる。以下、本発明の各実施例を図面に基づいて具体的に説明する。
【実施例１】
【００１４】
図１〜３に示す実施例１は、弾性板を断面逆Ｕ字型の設置具で脱着自在に取り付けた例である。図１は実施例１の流し台跳ね水阻止具の断面図、図２は実施例１の流し台跳ね水阻止具の正面図、図３は実施例１の他の例の流し台跳ね水阻止具の正面図である。図中、１は流し台本体、２は設置具、３は弾性板、３ａは外皮膜、４は円筒状気嚢、５はシンク、６は洗浄物、７は跳ね水、８は給気ポンプ、９は給排気弁、１０は給排気管である。
【００１５】
図１，２に示す流し台跳ね水阻止具は、複数の円筒状気嚢４を外皮膜３ａで被覆して弾性板３を構成し、弾性板３の下端部に断面逆Ｕ字状の設置具２を固着してシンク５の縁部へ脱着自在に取り付け、各円筒状気嚢４には給排気弁９を備えた給排気管１０を配管して給気ポンプ８と接続している。
【００１６】
実施例１はこのように構成したから、シンク５の内側で洗浄する洗浄物６にかける水の跳ね水７を弾性板３で阻止できる。また、未使用時は給排気弁９を開放して外皮膜３ａの弾力で気体を排出することで縮小し、使用時は給気ポンプ８で給気して膨張させることで再び使用できるようになる。なお、設置具２は全体に渡って構成したものの他、図３に示すように部分的に固着して取付できるようにしても良い。
【実施例２】
【００１７】
図４，５に示す実施例２は、円柱状発泡体で構成した弾性板を横方向へスライド自在に取り付けた例である。図４は実施例２の流し台跳ね水阻止具の断面図、図５は実施例２の流し台跳ね水阻止具の説明図である。図中、４ａは円柱状発泡体、１０ａは可撓性を有するホース、１１はスライドレール、１１ａは摺動体、１１ｂはレールである。
【００１８】
図４，５に示す流し台跳ね水阻止具は、発泡ポリエチレンからなる円柱状発泡体４ａを複数列設して外皮膜３ａまで被覆して弾性板３を構成し、流し台本体１の縁部にレール１１ｂを取り付け、同レール１１ｂに嵌挿してスライドする摺動体１１ａを弾性板３の下端に取り付けている。従って、水道を使用せずに別の作業をする場合などは横方向にスライドさせて作業性を良くでき、実施例１のように未使用時に取り外した跳ね水阻止具の置き場所に困ることがない。その他、符号、構成は実施例１と同じである。
【実施例３】
【００１９】
図６に示す実施例３は、弾性板を上下に傾倒できるように枢支した例である。図６は実施例３の流し台跳ね水阻止具の断面図である。図中、１２は枢支部材、１２ａ，１２ｂは取付片、１２ｃは蝶番、１２ｄは磁石、１２ｅは鉄板、１３は設置具である。
【００２０】
図６に示す流し台跳ね水阻止具は、一対の取付片１２ａ，１２ｂを蝶番１２ｃで枢支した枢支部材１２の取付片１２ａを形状記憶ポリマー（三菱重工業株式会社製）で構成した屈曲可能の設置具１３の上面に固着し、他方の取付片１２ｂを弾性板３の下端部に固着している。各取付片１２ａ，１２ｂの対向面には磁石１２ｄと鉄板１２ｅを固着して磁着できるようにしている。
【００２１】
この構成により、使用時に設置具１３を５５℃程の湯で温めて屈曲させることでシンク５の縁部に馴染ませた後常温水で固化させて取り付け、未使用時は弾性板３を手前下方へ傾倒して邪魔にならないように待避し、使用中は誤ってシンク５側へ傾倒しないようにするとともに、磁石１２ｄで固定して手前下方へも傾倒しないようにしている。また設置具１３が形状記憶ポリマーであるから、シンク５の縁部がどのような形状でも柔軟に馴染み、湯で温めることで容易に取り外すことができる。その他、符号、構成、作用効果は実施例１と同じである。
【産業上の利用可能性】
【００２２】
本発明の流し台跳ね水阻止具は、流し台の他、洗面化粧台のボウルなど水洗作業する場所に広く応用できる。
【図面の簡単な説明】
【００２３】
【図１】実施例１の流し台跳ね水阻止具の断面図である。
【図２】実施例１の流し台跳ね水阻止具の正面図である。
【図３】実施例１の他の例の流し台跳ね水阻止具の正面図である。
【図４】実施例２の他の例の流し台跳ね水阻止具の断面図である。
【図５】実施例２の他の例の流し台跳ね水阻止具の説明図である。
【図６】実施例３の流し台跳ね水阻止具の断面図である。
【符号の説明】
【００２４】
１  流し台本体
２  設置具
３  弾性板
３ａ  外皮膜
４  円筒状気嚢
４ａ  円柱状発泡体
５  シンク
６  洗浄物
７  跳ね水
８  給気ポンプ
９  給排気弁
１０  給排気管
１０ａ  ホース
１１  スライドレール
１１ａ  摺動体
１１ｂ  レール
１２  枢支部材
１２ａ，１２ｂ  取付片
１２ｃ  蝶番
１２ｄ  磁石
１２ｅ  鉄板
１３  設置具
【図１】
2004216133.tif 000003
【図２】
2004216133.tif 000004
【図３】
2004216133.tif 000005
【図４】
2004216133.tif 000006
【図５】
2004216133.tif 000007
【図６】
2004216133.tif 000008